(57)【要約】【課題】簡単な構造であって天面と法面とを確実に判別できる、堤防法肩ブロックを提供する。【解決手段】本発明の堤防法肩ブロックは、堤防の天面と法との境界である法肩を中心にして天面側の部分と法側の部分とを備え、天面と法と法肩とを識別するための識別部が形成されている。【選択図】図１
2018053518.tif 000002
【特許請求の範囲】
【請求項１】
堤防の天面と法との境界である法肩を中心にして天面側の部分と法側の部分とを備えた堤防法肩ブロックであって、
前記天面側の部分と前記法側の部分とを識別するための識別部が形成されている、堤防法肩ブロック。
【請求項２】
前記識別部は、前記法側の部分の表面に設けられた凹及び凸の少なくとも一方からなる模様である、請求項１に記載の堤防法肩ブロック。
【請求項３】
前記識別部は、前記法側の部分の表面に設けられた前記天面側の部分の表面とは異なる色の着色部である、請求項１に記載の堤防法肩ブロック。
【請求項４】
前記識別部は、法肩を窪ませた法肩凹部である、請求項１に記載の堤防法肩ブロック。
【請求項５】
前記識別部は、法肩に設置された、ブロックとは異なる材料からなる法肩部材である、請求項１に記載の堤防法肩ブロック。
【請求項６】
前記識別部は、法肩及び天面のいずれかに設けられた反射板からなる反射部材である、請求項１に記載の堤防法肩ブロック。
【発明の詳細な説明】
【技術分野】
【０００１】
本発明は、堤防法肩ブロックに関するものである。
【背景技術】
【０００２】
堤防が壊れる、いわゆる破堤は、いくつかのパターンにより生じる。例えば、川の激しい流れや波浪などにより、おもて法の表面の土が削り取られて破堤を引き起こすパターン、堤防の法面に亀裂が入り、それが拡がって破堤を引き起こすパターン、河川の水位が上がってその水圧で河川の水が堤防に浸透し裏法側から水が吹き出して破堤を引き起こすパターン、増水した河川の水が堤防を越えて越水し裏法を削り取って破堤を引き起こすパターンなどがある。
【０００３】
それぞれのパターンにより、破堤が生じないように異なる対策をとる必要がある。さらには特許文献１に開示されているように、２０１１年に発生した東日本大震災における津波によって多くの海岸堤防が破壊され、その対策が急務となっている。
【０００４】
一方、河川の堤防においても近年の局所的な豪雨による越水が引き起こす破堤が生じており、この対策も講じる必要がある。
【０００５】
従来は、越水の対策は堤防の高さを高くして越水自体が生じないようにするという方法が基本であり、そのためには堤防の幅も大きくする必要があった。このような対策では膨大なコストがかかると共に、河川の堤防の場合は堤防の後方に広がる民有地にまで堤防を広げなけらばならなくなる場合が多々あり、このような対策は現実的には実施できないという問題があった。そのため、越水が生じた場合に破堤が起こらないようにする対策が必要になってくる。
【０００６】
たとえば、堤防の天面をアスファルトで覆って道路にすることはよくおこなれているが、現状では越水のことは考慮されていない。すなわち、天面に道路が設置されていても天面と法との境目である法肩の保護は行われていないため、堤防の越水が生じると越水の水流によって法肩が洗掘されてしまい、破堤に繋がるおそれがある。そこでこのように法肩が洗掘されてしまうのを防ぐために、天面端部から法面上部にかけてコンクリートブロックで覆って法肩を保護することが考えられる。
【先行技術文献】
【特許文献】
【０００７】
【特許文献１】特開２０１３−７６２６３号公報
【発明の概要】
【発明が解決しようとする課題】
【０００８】
上述のような堤防法肩ブロックをコンクリートを打設して実際に設置したところ、天面部分と法部分とが同じように見えるために天面と法との識別がつかない場合があることが判明した。この場合、歩行者が天面部分と思って足を踏み出した場所が法部分であることが考えられ、そうすると平らだと思った場所が傾斜しているために転んで法面を転落していくおそれが考えられる。このような転落のおそれは、本願発明者らが初めて気づいたものである。
【０００９】
本発明は、かかる点に鑑みてなされたものであり、その目的とするところは、簡単な構造であって天面と法面とを確実に判別できる、堤防法肩ブロックを提供することにある。
【課題を解決するための手段】
【００１０】
本発明の堤防法肩ブロックは、堤防の天面と法との境界である法肩を中心にして天面側の部分と法側の部分とを備え、天面側の部分と法側の部分とを識別するための識別部が形成されている構成を備えている。
【００１１】
前記識別部は、前記法側の部分の表面に設けられた凹及び凸の少なくとも一方からなる模様であってもよい。
【００１２】
前記識別部は、前記法側の部分の表面に設けられた前記天面側の部分の表面とは異なる色の着色部であってもよい。
【００１３】
前記識別部は、法肩を窪ませた法肩凹部であってもよい。
【００１４】
前記識別部は、法肩に設置された、ブロックとは異なる材料からなる法肩部材であってもよい。
【００１５】
前記識別部は、法肩及び天面のいずれかに設けられた反射板からなる反射部材であってもよい。
【発明の効果】
【００１６】
本発明の堤防法肩ブロックは、天面と法とを識別するための識別部が形成されているので、天面を通行する歩行者や自転車が誤って法面に入り込んで転落することを防止できる。
【図面の簡単な説明】
【００１７】
【図１】実施形態１に係る堤防法肩ブロックの模式的な斜視図である。
【図２】実施形態２に係る堤防法肩ブロックの模式的な斜視図である。
【図３】実施形態３に係る堤防法肩ブロックの模式的な斜視図である。
【図４】実施形態４に係る堤防法肩ブロックの模式的な斜視図である。
【図５】実施形態５に係る堤防法肩ブロックの模式的な斜視図である。
【発明を実施するための形態】
【００１８】
以下、本発明の実施形態を図面に基づいて詳細に説明する。以下の好ましい実施形態の説明は、本質的に例示に過ぎず、本発明、その適用物或いはその用途を制限することを意図するものではない。以下の図面においては、説明の簡潔化のため、実質的に同一の機能を有する構成要素を同一の参照符号で示す。
【００１９】
（実施形態１）
河川等の堤防は、河川側の斜面であるおもて法とその反対側の斜面である裏法と、おもて法と裏法とに挟まれた堤防のてっぺん部分である天面とからなっており、天面は水平に形成されている。図１は、実施形態１に係る堤防法肩ブロック１０を斜めから見た図である。この堤防法肩ブロック１０はコンクリートからなり、堤防の天面と法との境の部分に設置される。
【００２０】
堤防法肩ブロック１０は、天面側部分２０と法側部分３０とを備えており、それらの境界が法肩部分４０である。この堤防法肩ブロック１０を複数、法肩に沿って並べ、隣同士を接続部６０の接続孔６２同士を連結金具で連結する。もう一つの孔６１にはアンカー鉄筋を差し込んで堤防に固定する。なお、接続部６０の上には、天面部分２０の上面と面一になるように止水用のコンクリートを流し込む。
【００２１】
本実施形態の堤防法肩ブロック１０の法側部分３０の表面には、法肩部分４０と平行に設けられた複数の溝５０，５０，・・が存在している。即ち、溝５０，５０，・・は法側部分３０の表面に設けられた識別部としての模様である。隣合う溝５０，５０同士の間隔は数ｃｍから数十ｃｍであることが好ましい。また、法肩部分４０に最近接している溝５０は、法肩部分４０と数ｃｍから十数ｃｍ程度の距離であると、天面側部分２０と法側部分３０と法肩部分４０とが明確に判別できるため好ましい。法側部分３０の下方（法尻に近い場所）では、隣合う溝５０，５０同士の間隔が上方側よりも拡がっていても構わないし、法側部分３０の下方には溝を設けなくても構わない。
【００２２】
溝５０，５０，・・は、誤って人が法側部分３０に足を踏み入れても転倒する危険がないような構造（幅や長さ、深さ、形状など）にすることが好ましい。
【００２３】
溝５０，５０，・・の長さは、堤防法肩ブロック１０の法肩に沿った方向の長さとほぼ同じでもよいが、もっと短くして一つの堤防法肩ブロック１０に、法肩に沿って複数並べても構わない。また、短い溝を法肩に沿って複数並べる場合、法を下る方向に沿って並べてもよく、千鳥形状に並べてもよい。法を下る方向においてランダムに並べてもよい。また、短い溝を法肩に平行なものと垂直なものとで交互あるいは所定の規則性にて、またはランダムに並べてもよい。天面側部分２０と法側部分３０とが明確に判別できるのであれば、溝の長さや配置などは特に限定されない。
【００２４】
本実施形態においては、同様に、天面側部分２０と法側部分３０とが明確に判別できるのであれば、溝５０の代わりに、模様として円形や楕円形、多角形などの窪みにしてもよい。また、凹である溝５０の代わりに凸形状の模様であっても構わない。凸形状は、線状やドット状などでよく、形状は特に限定されない。さらには、凹と凸の両方の模様を１つの堤防法肩ブロックに用いても構わない。
【００２５】
本実施形態では、法側部分３０の表面に法肩部分４０と平行に設けられた複数の溝５０，５０，・・が存在しているので、天面側部分２０と法側部分３０とが明確に判別でき、天面を歩行する歩行者が天面と法とを見誤って法側に転落することを防止することができる。
【００２６】
（実施形態２）
実施形態２は、実施形態１とは法側部分が異なっており、また接続部６０が無いことが異なっている。実施形態１と同じ部分については以下説明を省略する。
【００２７】
図２に実施形態２に係る堤防法肩ブロック１１を示す。本実施形態の堤防法肩ブロック１１の法側部分３１には識別部として表面に着色部５１が設けられている。着色部５１は天面部分２１とは異なる色であり、このように色が異なっていることで天面部分２１と法側部分３１とを視覚によって明確に判別できるようになっている。なお、図２では着色部５１をクロスハッチングで表しているが、このような模様が設けられているわけではない。
【００２８】
着色部５１の色については特に限定はされない。天面部分２１と法側部分３１とを視覚によって明確に判別できればどのような色であっても構わない。また、法側部分３１のうち着色部５１が設けられる領域も法肩４０に近接された部分を含んでいて天面部分２１と法側部分３１とを視覚によって明確に判別できればよく、それ以外の部分はどの領域まで着色部とするのかは特に限定されない。また、全体にベタに着色する必要はなく、複数のストライプ状としてもよいし、市松模様やドット模様などの着色を行ってもよい。また、複数の色により着色を行っても構わない。また着色を行う方法についても限定はされない。
【００２９】
本実施形態の堤防法肩ブロック１１には接続部がないが、隣合うブロック同士のすき間に止水用及び接続用のコンクリートを流し込んで接続を行えばよい。
【００３０】
本実施形態では、実施形態１と同様に、天面部分２１と法側部分３１とを視覚によって明確に判別でき、天面を歩行する歩行者が天面と法とを見誤って法側に転落することを防止することができるとともに、着色部５１に凹凸がないので、実施形態１よりもさらに安全である。
【００３１】
（実施形態３）
実施形態３は、実施形態１とは法側部分が異なっており、また接続部６０が無いことが異なっている。なお、接続部６０がないことは実施形態２と同じである。従って、実施形態１、２と同じ部分については以下説明を省略する。
【００３２】
図３に実施形態３に係る堤防法肩ブロック１２を示す。本実施形態の堤防法肩ブロック１２の法肩部分４２には、識別部として法肩を窪ませた法肩凹部５２が設けられている。法肩凹部５２が存在することによって、法肩部分４２を視覚的に明確に判別できるようにしている。すなわち、法肩が窪んでいるので歩行者はその部分を視覚によって他の部分と明確に識別でき、それによって、結果的に天面部分２２と法側部分３２とを視覚によって明確に判別できる。
【００３３】
法肩凹部５２の形状は特に限定されない。図３に示すように断面Ｕ字型の溝であってもよいし、Ｖ溝や断面が矩形の溝でもよい。そして、法肩の全てに法肩凹部５２が設けられていなくてもよく、例えば５０ｃｍ間隔で５０ｃｍの長さの法肩凹部５２が飛び飛びに設けられていてもよい。また、法肩凹部５２と天面部分２２との境界線、或いは法側部分３２との境界線は直線ではなくてもよく、波線やのこぎり刃状などであると、天面部分２２と法側部分３２とをより明確に判別できる。識別性、安全性の観点から、法肩凹部５２の凹幅を適切に選定することが好ましい。法肩凹部５２の深さは特に限定されない。
【００３４】
本実施形態では、実施形態１と同様に、天面部分２２と法側部分３２とを視覚によって明確に判別でき、天面を歩行する歩行者が天面と法とを見誤って法側に転落することを防止することができる。
【００３５】
（実施形態４）
実施形態４は実施形態３と比較すると、識別部が異なっており、それ以外の部分は実施形態３と同じであるので、実施形態３と異なる部分を以下に説明する。
【００３６】
図４に実施形態４に係る堤防法肩ブロック１３を示す。本実施形態の堤防法肩ブロック１３の法肩部分４３には、識別部としてブロック材料とは異なる材料からなる法肩部材５３が設けられている。法肩部材５３の材料は天面側部分２３のブロック材料と異なっていればよく、特に限定されないが例えば、樹脂や金属、コンクリート以外の土木材料などを挙げることができる。また、法肩部分４３の全てに法肩部材５３が設けられていなくてもよく、例えば５０ｃｍ間隔で５０ｃｍの長さの法肩部材５３が飛び飛びに設けられていてもよい。
【００３７】
図４では、法肩部材５３は法肩部分４３に埋め込まれて上面部分が露出しているが、埋め込まないで法肩部分４３の表面に設置してもよく、その場合は安全性のため天面部分２３との段差がないことが好ましい。法肩部材５３の材料はブロックとの識別性を高めるために着色をしてもよい。
【００３８】
本実施形態では、法肩部材５３が存在することによって、法肩部分４３を視覚的に明確に判別できるようにしている。すなわち、法肩部材５３と天面部分２３との材料が異なっているので、その色や質感の違いによって歩行者はその部分を天面部分２３と明確に識別でき、それによって、結果的に天面部分２３と法側部分３３とを視覚によって明確に判別できる。なお、天面部分２３と法側部分３３とは通常は同じ材料により構成されているので、法肩部材５３は法側部分３３とも明確に識別ができる。
【００３９】
法肩部材５３の形状は特に限定されない。図４に示すように円柱形状であってもよいし、角柱や断面が楕円または円弧形状でもよい。また、法肩部材５３を板状にして法肩部分４３の表面に貼り合わせてもよく、天面部分２３と段差が生じないように堤防法肩ブロック１３に埋め込んでもよい。また法肩部材５３の表面は人が踏んでも滑らないことが好ましく、法肩部材５３の材料や表面加工などによって滑らないようにすることができる。識別性の観点から、法肩部材５３の天面と法との間の幅を適切に選定することが好ましい。法肩部材５３の深さ方向の厚みは特に限定されない。
【００４０】
本実施形態では、実施形態１と同様に、天面部分２３と法側部分３３とを視覚によって明確に判別でき、天面を歩行する歩行者が天面と法とを見誤って法側に転落することを防止することができる。
【００４１】
（実施形態５）
実施形態５に係る堤防法肩ブロックは、図５に示すように天面部分２４の上に、複数の反射部材である反射板５４，５４が法肩部分４０と接するように且つ法肩部分４０に沿うように配置されている。本実施形態の反射板５４は、交通標識などに用いられるような再帰反射性能を有するものが好ましい。さらに蓄光性も有していることが好ましい。
【００４２】
本実施形態では、反射板５４の幅や長さ、隣合う反射板５４，５４間の距離は特に限定されないが、識別性の観点から適切に選定することが好ましい。反射板５４と天面部分２４とは段差がないことが好ましい。
【００４３】
本実施形態では、実施形態１と同様に、天面部分２４と法側部分３４とを視覚によって明確に判別でき、天面を歩行する歩行者が天面と法とを見誤って法側に転落することを防止することができる。
【００４４】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００４５】
実施形態１の接続部を実施形態１以外の実施形態の堤防法肩ブロックに適用しても構わない。また、実施形態１の接続部の形状、位置、構造等は特に限定されず、隣合うブロック同士が固定され、また各ブロックが堤防に固定される形状、位置、構造等であればよい。
【００４６】
実施形態２において、法側部分の表面の粗度を天面部分の粗度とは変えることによって色を変えても構わない。例えばブロック表面粗度が小さく滑らかなものに比べて、粗度が大きいものは表面が粗くて凹凸（陰影）があるため、明度が低い。
【００４７】
実施形態４において、法肩部材を堤防法肩ブロックを構成するコンクリートに着色剤を混ぜたり、異なる骨材を用いたりしたコンクリート材料で形成しても構わない。
【００４８】
実施形態５において、反射板は法肩部分に設置されていてもよい。
【００４９】
上記の実施形態の２つ以上を組み合わせても構わない。堤防法肩ブロックはおもて法側と裏法側の両方に設置してもよいし、いずれか一方にのみ設置してもよい。
【符号の説明】
【００５０】
１０，１１，１２，１３，１４    堤防法肩ブロック
２０，２１，２２，２３，２４    天面部分（天面側の部分）
３０，３１，３２，３３，３４    法側部分（法側の部分）
４０，４２，４３                法肩部分
５０                            溝（識別部）
５１                            着色部（識別部）
５２                            法肩凹部（識別部）
５３                            法肩部材（識別部）
５４                            反射板（識別部）
【図１】
2018053518.tif 000003
【図２】
2018053518.tif 000004
【図３】
2018053518.tif 000005
【図４】
2018053518.tif 000006
【図５】
2018053518.tif 000007